(57)【要約】【課題】農業機械の機体側に固定具を介して取り付けられるカバー体において、機体振動によりカバー体が振動し騒音を発生したり、カバー体が振動で破損する欠点を改善する。【解決手段】機体側に固定具（２２，２３）を介して取り付けられるカバー体（２０）において、カバー体（２０）に緩衝部材（２４）を設け、カバー体（２０）が機体側に取り付けられた状態で緩衝部材（２４）が機体側に接当するように構成すると共に、緩衝部材（２４，２７）をカバー体（２０，２１）の前記固定具（２２，２３，２５）で固定される側と反対側の位置に設けたことを特徴とする。【選択図】図３
2005151934.tif 000002
【特許請求の範囲】
【請求項１】
機体側に固定具（２２，２３，２５）を介して取り付けられるカバー体（２０，２１）において、カバー体（２０，２１）に緩衝部材（２４，２７）を設け、カバー体（２０，２１）が機体側に取り付けられた状態で緩衝部材（２４，２７）が機体側に接当するように構成すると共に、緩衝部材（２４，２７）をカバー体（２０，２１）の前記固定具（２２，２３，２５）で固定される側と反対側の位置に設けたことを特徴とする農業機械におけるカバー体の防振構造。
【請求項２】
前記カバー体（２０，２１）がコンバイン（１）の結束装置（１１）に取り付けられたカバー体であることを特徴とする請求項１記載の農業機械におけるカバー体の防振構造。
【発明の詳細な説明】
【技術分野】
【０００１】
本発明は、コンバイン等の農業機械におけるカバー体の防振構造に関する。
【背景技術】
【０００２】
従来、コンバインの結束装置の外側面を覆うカバー体を設けることは既に知られている（例えば、特許文献１参照）。
【特許文献１】特開２００２−３４３２３号公報（図２）
【発明の開示】
【発明が解決しようとする課題】
【０００３】
しかし、上記のものはカバー体をボルト止めしているだけなので、機体振動によりカバー体が振動し騒音を発生したり、カバー体が振動で破損する欠点があった。
本発明の課題は、上記従来の欠点を改善する点にある。
【課題を解決するための手段】
【０００４】
上記課題を達成するため、本発明においては、機体側に固定具を介して取り付けられるカバー体において、カバー体に緩衝部材を設け、カバー体が機体側に取り付けられた状態で緩衝部材が機体側に接当するように構成すると共に、緩衝部材をカバー体の前記固定具で固定される側と反対側の位置に設けたことを第１の特徴としている。
また、前記カバー体がコンバインの結束装置に取り付けられたカバー体であることを第２の特徴としている。
【発明の効果】
【０００５】
緩衝部材がカバー体の振動を吸収するから、騒音の発生及び、カバー体の破損を防止できる。
【発明を実施するための最良の形態】
【０００６】
次に本発明の実施の形態を図面に基づいて説明する。
まず図１において、１は農業機械として例示するコンバインであって、該コンバイン１は、クローラ走行体２を備えた走行機体３の前部に前処理部４が昇降自在に装着され、その後方一側に選別部６を有する脱穀機５が配置されている。
【０００７】
７は上記脱穀機５の扱口に沿って配設したフィードチェーン、８は揚上搬送体であって、前処理部４で刈取った穀稈は揚上搬送体８を経てフィードチェーン７に受け継がれ、フィードチェーン７により扱口に沿って後方に搬送される過程で、脱穀機５に内装された扱胴の回転により脱穀処理される。また脱穀された穀粒は選別室６内で選別処理された後、前処理部４の後方他側に配置された籾タンク９に貯留される。１０は籾タンク９に貯留された籾を機外に取出す排出ラセンである。
【０００８】
１１は脱穀機５の後部でカッタ１２の後方に装着された結束装置であって、脱穀済の排稈を排稈搬送体１３で後方に搬送する際に、カッタ１２上方の排稈供給口に設けた開閉揺動可能な切換板１４を、上方に開動してカッタ１２内に排稈を送給するとともに、上記切換板１４を下方に閉動した時には、その上方を通って排稈を結束装置１１に送給するようになっている。
【０００９】
上記結束装置１１は、図２に示すように、カッタ１２の後部に連結フレーム１８を介して支持され方形状に枠組みされている支持フレーム１９と、該支持フレーム１９に左右スライド移動可能に支持される結束機Ｔを備え、該結束機Ｔを左右移動させることにより結束装置１１の結束位置が変更可能となっている。また、前記結束機Ｔは、ビル、ホルダ等を備えた結節部１５と、パッカ、ニードル等を備えた掻込部１６とを備え、両者は集束路Ｓを有して連結フレーム１７により上下一体的に連結されている。
【００１０】
２０，２１は結束装置１１の外側面を覆うカバー体であり、２０は結束装置１１の全幅に亘って設けられ結束装置１１の上方を覆う上部カバーで、２１は結束装置１１の右側面を覆う右サイドカバーである。
【００１１】
図３に示すように、上部カバー２０は支持フレーム１９にボルト２２、２３によって取付固定されており、また上部カバー２０の機体前後方向において前側（ボルト２２で取付固定された側と反対側）で且つ左右両端の隅部（上部カバー２０の左側は図示なし）には振動吸収用のスポンジ２４（緩衝部材）が設けられている。該スポンジ２４は上部カバー２０の裏側に接着剤等で貼り付けてあり、上部カバー２０が支持フレーム１９に取り付けられた状態でスポンジ２４が連結フレーム１８の上面に接当している。
【００１２】
また、右サイドカバー２１は支持フレーム１９にボルト２５によって取付固定されており、また右サイドカバー２１の機体前後方向において前側（ボルト２５で取付固定された側と反対側）で且つ上端の隅部には振動吸収用のスポンジ２７（緩衝部材）が設けられている。該スポンジ２７は右サイドカバー２７の裏側に接着剤等で貼り付けてあり、右サイドカバー２１が支持フレーム１９に取り付けられた状態でスポンジ２７が連結フレーム１８に溶接されたＬ字プレート２６に接当している。
【００１３】
以上のように、前記上部カバー２０及び右サイドカバー２１は、コンバイン１及び結束装置１１の機体振動により振動しようとするが、両カバー２０，２１に貼り付けてあるスポンジ２４，２７が振動を吸収するので両カバー２０，２１の振動による騒音及び、破損を防止することができる。また、スポンジ２４，２７はカバーの隅部にのみ設けるようにしたからスポンジ２４，２７が邪魔してカバーの組立性が悪くなることがなく、防振構造も簡単になる。
【００１４】
また、緩衝部材２４，２７はスポンジに限らず、振動を吸収するものであればゴムのような弾性物で構成しても良い。
【００１５】
図４は切換板１４の構成を示す説明図である。
３０は切換板１４に一体的に溶着された揺動支点軸でカッタ１２の枠体に回動自在に支持されている。３１は電動モーターであり、運転操作部に設けられた切換スイッチの操作により伝動モーター３１を正逆転駆動すると、モーターギヤ３２及び揺動支点軸３０に設けられたギヤ３３を介して切換板１４が開閉揺動するよう構成されている。
【００１６】
切換板１４は、揺動支点軸３０と一体の固定板１４ａ，１４ｂと、カッタ１２の枠体に左右スライド移動可能に支持されたスライド板１４ｃとで構成されている。３４は揺動支点軸３０に設けられたギヤで、切換板１４が揺動支点軸３０を支点に揺動するとギヤ３４が回転し、ギヤ３５を介してギヤ３６が回転する。ギヤ３６にはネジ部Ｎが形成された軸体３７が一体的に設けてあり、軸体３７が回転するとネジ部Ｎに噛合すると共にカッタ１２の枠体に左右スライド移動可能に支持された作動部材３８が左右スライド移動し、作動部材３８と一体のスライド板１４ｃが左右スライド移動する。
【００１７】
即ち、切換板１４が上方開動した時はスライド板１４ｃが連動して右側に移動するので、固定板１４ａと固定板１４ｂの間（排稈搬送体１３に臨む部分）に空間部Ｋができ切換板１４が上方に上がった時に切換板１４と排稈搬送体１３との接当が防止される。
また、切換板１４が下方に閉動した時はスライド板１４ｃが連動して左側に移動するので、固定板１４ａと固定板１４ｂの間の空間部Ｋを塞ぎ切換板１４の上方を搬送される排藁がカッタ内に落下することが防止される。
【図面の簡単な説明】
【００１８】
【図１】コンバインの左側面図である。
【図２】コンバインの後部に装着された結束装置を示す斜視図である。
【図３】（ａ）は結束装置のカバー取付構成を示す平面図、（ｂ）は右側面図である。
【図４】切換板の構成を示す説明図であり、（ａ）は平面図、（ｂ）は左側面図である。
【符号の説明】
【００１９】
１  コンバイン
１１  結束装置
２０  上部カバー（カバー体）
２１  右サイドカバー（カバー体）
２２  ボルト（固定具）
２３  ボルト（固定具）
２４  スポンジ（緩衝部材）
２５  ボルト（固定具）
２７  スポンジ（緩衝部材）
【図１】
2005151934.tif 000003
【図２】
2005151934.tif 000004
【図３】
2005151934.tif 000005
【図４】
2005151934.tif 000006